(57)【要約】      （修正有）【課題】装飾性を高めて興趣を豊かにすることが可能なバッテリーを提供する。【解決手段】二次電池を有するバッテリー１は、照射光透過樹脂によって成形された表ケース３を備え、この表ケース３の内側に第２電子回路基板（電子回路基板）に実装されている装飾ＬＥＤランプを臨ませる。装飾ＬＥＤランプを構成している複数のＬＥＤランプ１６ａ、１６ｂおよび１６ｃにおいて、点灯されたＬＥＤランプ１６ａ、１６ｂおよび１６ｃの照射光が表ケース３を透過する。これにより、表ケース３の外側から装飾ＬＥＤランプの照射光を視認することができる。その結果、バッテリー１の装飾性を高めて興趣を豊かにすることが可能となる。【選択図】図７
0003196184.tif 000002
【実用新案登録請求の範囲】
【請求項１】
表ケースと裏ケースとからなる筺体に、二次電池を備える充放電モジュールを実装した電子回路基板が収納され、外部電源により前記二次電池が充電され、かつ該二次電池の電力が携帯型電子機器に給電できるように構成されたバッテリーにおいて、
前記電子回路基板に装飾ＬＥＤランプが実装され、前記表ケースと裏ケースの少なくともいずれか一方が前記装飾ＬＥＤランプ照射光の透過を可能に構成されており、前記装飾ＬＥＤランプを、該装飾ＬＥＤランプ照射光の透過を可能に構成した表ケースと裏ケースの少なくともいずれか一方の内側に臨ませたことを特徴とするバッテリー。
【請求項２】
請求項１に記載したバッテリーにおいて、
前記装飾ＬＥＤランプ照射光の透過が可能に構成されている前記表ケースと裏ケースの少なくともいずれか一方の内面に、ロゴマーク、図形、文字の少なくとも一つの形を表わす採光溝が設けられていることを特徴とするバッテリー。
【請求項３】
請求項１又は請求項２に記載したバッテリーにおいて、
隠蔽紙が上記電子回路基板と上記装飾ＬＥＤランプ照射光の透過を可能に構成した表ケースと裏ケースの少なくともいずれか一方との間に介在されて、上記電子回路基板に被せられており、前記隠蔽紙には上記ＬＥＤランプを臨出させるための透孔が設けられていることを特徴とするバッテリー。
【請求項４】
請求項３に記載したバッテリーにおいて、
上記隠蔽紙の表面が上記ＬＥＤランプ照射光を反射するための反射面であることを特徴とするバッテリー。
【考案の詳細な説明】
【技術分野】
【０００１】
本考案はバッテリーに係り、さらに詳しくは、装飾性を高めて興趣を豊かすることを可能としたバッテリーに関するものである。
【背景技術】
【０００２】
スマートフォン、タブレットＰＣ、携帯電話、携帯型音楽再生機などの携帯型電子機器に内蔵されている機器側電池に給電する機能を備える従来のバッテリーは、一体に組み合わされた表ケースと裏ケースとからなる筺体に、二次電池と、充放電モジュールを含む所定の電子部品が実装されている電子回路基板が収納され、ＵＳＢ充電ポートを介して外部電源により前記二次電池が充電され、ＵＳＢ放電ポートを介して前記二次電池の電力が携帯型電子機器に給電できるとともに、前記二次電池の残量表示や充電状況の表示を行う充放電表示ＬＥＤランプを備えたものである。
【０００３】
ところが、表ケースと裏ケースは、それぞれが不透明な樹脂成形体によって構成され、表ケースには、バッテリーの使用時に二次電池の残量表示や充電状況の表示を行う複数個（例えば４個）のＬＥＤからなる充放電表示ＬＥＤランプを臨ませた複数（例えば４個）の小さい窓が設けられているのみであり、装飾性を高めて興趣を豊かにする手立てが講じられていない。
【先行技術文献】
【特許文献】
【０００４】
【特許文献１】実用新案登録第３１９４３３６号公報
【考案の概要】
【考案が解決しようとする課題】
【０００５】
本考案は、上記の実情に鑑みてなされたもので、装飾性を高めて興趣を豊かすることが可能なバッテリーの提供を目的とするものである。
【課題を解決するための手段】
【０００６】
前記目的を達成するために、本考案に係るバッテリーは、表ケースと裏ケースとからなる筺体に、二次電池を備える充放電モジュールを実装した電子回路基板が収納され、外部電源により前記二次電池が充電され、かつ該二次電池の電力が携帯型電子機器に給電できるように構成されたバッテリーにおいて、
前記電子回路基板に装飾ＬＥＤランプが実装され、前記表ケースと裏ケースの少なくともいずれか一方が前記装飾ＬＥＤランプ照射光の透過を可能に構成されており、前記装飾ＬＥＤランプを、該装飾ＬＥＤランプ照射光の透過を可能に構成した表ケースと裏ケースの少なくともいずれか一方の内側に臨ませたことを特徴としている。
【０００７】
前記構成のバッテリーによると、筺体における装飾ＬＥＤランプ照射光の透過が可能な表ケースと裏ケースの少なくともいずれか一方の外側から、装飾ＬＥＤランプ照射光を視認することができる。
【０００８】
また、本考案に係るバッテリーは、前記装飾ＬＥＤランプ照射光の透過が可能に構成されている前記表ケースと裏ケースの少なくともいずれか一方の内面に、ロゴマーク、図形、文字の少なくとも一つの形を表わす採光溝が設けられている。これによると、採光溝に装飾ＬＥＤランプの照射光を採り入れる採光作用が生じる。これにより、ロゴマーク、図柄、文字の少なくとも一の形を鮮明に浮かび上がらせて、装飾ＬＥＤランプ照射光の透過を可能に構成した表ケースと裏ケースの少なくともいずれか一方の外側から視認することができ、バッテリーの訴求効果を高めることが可能となる。
【０００９】
また、本考案に係るバッテリーは、隠蔽紙が上記電子回路基板と上記装飾ＬＥＤランプ照射光の透過を可能に構成した表ケースと裏ケースの少なくともいずれか一方との間に介在されて、上記電子回路基板に被せられており、前記隠蔽紙には上記ＬＥＤランプを臨出させるための透孔が設けられている。これによると、隠蔽紙により、電子回路基板の上面に形成されている装飾ＬＥＤランプの信号線を隠蔽することができるので、表ケースと裏ケースの少なくともいずれか一方の外側から、前記信号線が視認できないようにすることができる。
【００１０】
また、本考案に係るバッテリーは、上記隠蔽紙の表面が上記ＬＥＤランプ照射光を反射するための反射面であることを特徴とする。これによると、前記ＬＥＤランプ照射光が前記隠蔽紙に反射するので、より一層装飾性が増す。また、前記装飾ＬＥＤランプ照射光の透過が可能に構成されている前記表ケースと裏ケースの少なくともいずれか一方の内面に、ロゴマーク、図形、文字の少なくとも一つの形を表わす採光溝が設けられている場合には、ロゴマーク、図柄、文字の少なくとも一の形をより一層鮮明に浮かび上がらせることができる。
【考案の効果】
【００１１】
本考案に係るバッテリーによれば、筺体における装飾ＬＥＤランプ照射光の透過が可能な表ケースと裏ケースの少なくともいずれか一方の外側から、装飾ＬＥＤランプ照射光を視認することができるので、バッテリーの装飾性を高めて興趣を豊かすることが可能となる。
【図面の簡単な説明】
【００１２】
【図１】本考案に係るバッテリーの一実施形態を示す外観斜視図であり、装飾ＬＥＤランプと充放電表示ＬＥＤランプの消灯状態を示している。
【図２】図１の実施形態の表ケースを除去して裏ケースおよびその内部を示す平面図である。
【図３】図１の実施形態の平面図であり、採光作用により視認可能な採光採光溝を破線で示している。
【図４】表ケースの部分縦断面図であり、図４（ａ）は図３の表ケースにおけるＡ−Ａ線に沿う部分縦断面図、図４（ｂ）は図３の表ケースにおけるＢ−Ｂ線に沿う部分縦断面図、図４（ｃ）は図３の表ケースにおけるＣ−Ｃ線に沿う部分縦断面図である。
【図５】本考案に係るバッテリーの一実施形態における回路の一例を示すブロック図である。
【図６】第２電子回路基板に隠蔽紙を被せた状態を示す平面図である。
【図７】本考案に係るバッテリーの作動例を示す平面図であり、装飾ＬＥＤランプの全てと充放電表示ＬＥＤランプの点灯状態を示している。
【考案を実施するための最良の形態】
【００１３】
以下、本考案に係るバッテリーの好ましい実施形態を図面に基づいて説明する。図１は本考案に係るバッテリーの一実施形態を示す外観斜視図であり、装飾ＬＥＤランプと充放電表示ＬＥＤランプの消灯状態を示し、図２は図１の実施形態の表ケースを除去して裏ケースおよびその内部を示す平面図、図３は図１の実施形態の平面図であり、採光作用により視認可能な採光溝を破線で示し、図４は表ケースの部分縦断面図であって、図４（ａ）は図３の表ケースにおけるＡ−Ａ線に沿う部分縦断面図、図４（ｂ）は図３の表ケースにおけるＢ−Ｂ線に沿う部分縦断面図、図４（ｃ）は図３の表ケースにおけるＣ−Ｃ線に沿う部分縦断面図、図５は本考案に係るバッテリーの一実施形態における回路の一例を示すブロック図である。
【００１４】
図１および図２において、バッテリー１は、樹脂製の筺体２を備え、筺体２は一体に組み合わされた上側の表ケース３と下側の裏ケース４とからなり、表ケース３はＬＥＤランプ照射光の透過を許容する例えば紺色系に彩色された照射光透過樹脂によって、下向き長方形の皿状に成形され、裏ケース４はＬＥＤランプ照射光の透過を遮断する白色系に彩色された不透明樹脂によって、上向き長方形の皿状に成形されており、裏ケース４には、その底側から順に第１電子回路基板５と第２電子回路基板６が重なり合って収納されている。このため、第２電子回路基板６は表ケース３の内側に臨むこととなる。
【００１５】
裏ケース４の互いに対向する短辺４ａ，４ａの一方にＵＳＢ充電ポート７と、ＵＳＢ放電ポート８が設けられ、裏ケース４の互いに対向する長辺４ｂ，４ｂの一方の所定位置からスイッチ（押しボタンスイッチ）９の操作端部を臨出させており、ＵＳＢ充電ポート７、ＵＳＢ放電ポート８およびスイッチ９は、それぞれが第１電子回路基板５に実装されている後述の電子部品に接続される。
【００１６】
第１電子回路基板５には、図５に示す二次電池１０を備える充放電モジュール１１が実装されている。充放電モジュール１１は、外部電源１９を二次電池１０に蓄電させるための充電回路１２、二次電池１０に接続されるとともに該二次電池１０の電力を出力させる放電回路１３、充電回路１２、放電回路１３および二次電池１０に接続されるとともに該二次電池１０の充電あるいは放電を制御するコントローラ１４、コントローラ１４に接続されて二次電池１０の残量表示や充電状況の表示を行う充放電表示ＬＥＤランプ１５を備え、ＵＳＢ充電ポート７は充電回路１２に接続されて直流電圧を充電回路１２に供給する。そして、ＵＳＢ放電ポート８は放電回路１３およびスマートフォン、タブレットＰＣ、携帯電話、携帯型音楽再生機などの携帯型電子機器２０に接続されて給電を行う。スイッチ９は、二次電池１０、充電回路１２、放電回路１３およびコントローラ１４に接続され、充放電表示ＬＥＤランプ１５は、図２に示すように、第２電子回路基板６に形成されている切欠部６ａに臨ませてある。
【００１７】
図２および図５に示すように、第２電子回路基板６に装飾ＬＥＤランプ１６が実装される。本実施形態では、図２で明らかなように、二点鎖線で示す第１三角形１６Ａの三つの角に位置決めした３個のＬＥＤランプ１６ａ、二点鎖線で示す第２三角形１６Ｂの三つの角と三つの辺それぞれの中央部に位置決めした６個のＬＥＤランプ１６ｂおよび二点鎖線で示す第３三角形１６Ｃの三つの角に位置決めした３個のＬＥＤランプ１６ｃによって装飾ＬＥＤランプ１６が構成されている。
【００１８】
一方、図３では破線で示し、図４（ａ），（ｂ），（ｃ）では断面で示しているように、表ケース３の下面（内面）３Ａに採光溝１７が設けられている。本実施形態の採光溝１７は、表ケース３と裏ケース４とを図１のように一体に組み合わせた状態で、図２に示している第１三角形１６Ａに対向する該第１三角形１６Ａと合同の第１三角形採光溝１７ａ、図２の第２三角形１６Ｂに対向する該第２三角形１６Ｂと合同の第２三角形採光溝１７ｂ、第３三角形１６Ｃに対向する該第３三角形１６Ｃと合同の第３三角形採光溝１７ｃおよび第２三角形採光溝１７ｂが内接する円形採光溝１７ｄを備えている。
【００１９】
他方、本実施形態では、図６に示すように、隠蔽紙１８を第２電子回路基板６に被せて、該第２電子回路基板６と表ケース３（図６には示されていない）の間に介在させる。隠蔽紙１８は、第２電子回路基板６の上面に形成されている装飾ＬＥＤランプ１６の信号線（図示省略）を隠蔽する機能を有している。また、装飾ＬＥＤランプ１６を構成している前述の３個のＬＥＤランプ１６ａ、６個のＬＥＤランプ１６ｂおよび３個のＬＥＤランプ１６ｃのそれぞれを臨出させるための複数（１２個）の透孔１８ａを設けてある。また、隠蔽紙１８の表面の反射面１８ｂはホログラムによる反射面１８ｂとなっている。反射面１８ｂはホログラム以外に例えば鏡面や銀紙や金紙や比較的反射効率の良い白色などによる反射面１８ｂとしても良い。
【００２０】
前記構成のバッテリー１によれば、スイッチ９のＯＮ操作により、例えば図７の黒丸で示すように、装飾ＬＥＤランプ１６の前記３個のＬＥＤランプ１６ａ、６個のＬＥＤランプ１６ｂおよび３個のＬＥＤランプ１６ｃの全てが点灯され、トータル１２個のＬＥＤランプ１６ａ，１６ｂ，１６ｃの照射光が表ケース３を透過することによって、これらの照射光を表ケース３の外側から視認することができる。その結果、バッテリー１の装飾性を高めて興趣を豊かすることが可能となる。また、同時に充放電表示ＬＥＤランプ１５も点灯されるので、充放電表示ＬＥＤランプ１５の照射光が表ケース３を透過して、バッテリー１の充放電状態を表ケース３の外側から視認することもできる。
【００２１】
本考案に係るバッテリー１は、充放電モジュール１１のコントローラ１４に入力されているプログラムに基づいて、装飾ＬＥＤランプ１６の点滅パターンを様々なバリエーションで演出して、その照射光を表ケース３の外側から視認することが可能である。このため、より一層装飾性を高めて興趣を豊かすることが可能となる。
【００２２】
一方、装飾ＬＥＤランプ１６が様々なバリエーションで点滅される過程の点灯時に、表ケース３の下面３Ａに設けられている採光溝１７に装飾ＬＥＤランプ１６の照射光を採り入れる採光作用が生じる。これにより、採光溝１７が備えている第１三角形採光溝１７ａ、第２三角形採光溝１７ｂ、第３三角形採光溝１７ｃおよび円形採光溝１７ｄを鮮明に浮かび上がらせて、これら表ケース３の外側から視認させることができる。その結果、バッテリー１の訴求効果を高めることが可能となる。
【００２３】
本考案は、前記実施形態のみに限定されるものではない。例えば、表ケース３を照射光の透過を遮断する白色系の不透明樹脂によって成形し、裏ケース４を照射光の透過を許容する例えば紺色系に彩色された照射光透過樹脂によって成形するとともに、第２電子回路基板６を裏ケース４に臨ませて、装飾ＬＥＤランプ１６の照射光を裏ケース４の外側から視認する構造、表ケース３と裏ケース４の双方を前記照射光透過樹脂によって成形し、第２電子回路基板６を二分割し、かつ、二分割した第２電子回路基板のそれぞれに装飾ＬＥＤランプ１６を実装するとともに、二分割した第２電子回路基板を表ケース３と裏ケース４に振り分けて臨ませて、装飾ＬＥＤランプ１６の照射光を表ケース３と裏ケース４の外側から視認する構造であってもよい。
【００２４】
また、第１電子回路基板５の縦方向一側または横方向の一側に第２電子回路基板６を連設した一つの電子回路基板を構成し、この一つの電子回路基板における第２電子回路基板６に相当する部位に実装されている装飾ＬＥＤランプ１６の照射光を、照射光透過樹脂によって成形した表ケース３あるいは裏ケース４に臨ませて、装飾ＬＥＤランプ１６の照射光を表ケース３または裏ケース４の外側から視認する構造であってもよい。
【００２５】
さらに、前記実施形態では、表ケース３の下面（内面）３Ａに採光溝１７を設けているが、照射光透過樹脂によって成形された裏ケース４の上面（内面）または照射光透過樹脂によって成形された表ケース３と裏ケース４の双方の内面に採光溝１７を設けた構造であってもよい。また、前記実施形態では、三角形と円形を表わす採光溝１７を設けているが、それ以外の図形を表わす採光溝、ロゴマークを表わす採光溝、各種文字を表わす採光溝を各別に設けた構造あるいはこれらの採光溝を適宜複合して設けた構造であってもよい。すなわち、本考案は、前記実施形態のみに限定されるものではなく、その趣旨および技術思想を逸脱しない範囲であれば、構造変形が可能である。
【産業上の利用可能性】
【００２６】
本考案のバッテリーは、スマートフォン、タブレットＰＣ、携帯電話、携帯型音楽再生機などの携帯型電子機器に給電する機能を備えるバッテリーの装飾性を高めて、興趣を豊かするのに有用である。
【符号の説明】
【００２７】
１  バッテリー
２  筺体
３  表ケース
４  裏ケース
５  第１電子回路基板（電子回路基板）
６  第２電子回路基板（電子回路基板）
７  ＵＳＢ充電ポート
８  ＵＳＢ放電ポート
９  スイッチ
１０  二次電池
１１  充放電モジュール
１５  充放電表示ＬＥＤランプ
１６  装飾ＬＥＤランプ
１７  採光溝
１８  隠蔽紙
１８ａ  透孔
１８ｂ  反射面
１９  外部電源
２０  携帯型電子機器
【図１】
0003196184.tif 000003
【図２】
0003196184.tif 000004
【図３】
0003196184.tif 000005
【図４】
0003196184.tif 000006
【図５】
0003196184.tif 000007
【図６】
0003196184.tif 000008
【図７】
0003196184.tif 000009